(57)【特許請求の範囲】
【請求項１】
オゾン発生器とオゾン分解触媒装置を備えた殺菌・脱臭手段、該オゾン分解触媒装置の後流側へファン装置とを設け、該オゾン分解触媒装置には、該オゾン分解触媒装置への開閉を図る流路の切り換え部材を設けると共に、且つオゾン分解触媒装置の後流側のファン装置へは該ファンの回転数の可変調整手段を設けて、無人時のオゾン殺菌（薫蒸）時と有人時行うオゾン脱臭時で、無人の殺菌時はオゾンの分解を防止するために、オゾン分解触媒装置への流路を閉鎖された状態で他方の開放された流路を通過するオゾンに対し、ファンの回転数を下げることで、風量・風速を下げて、オゾンの消耗を避け、且つ有人の脱臭時には、オゾン分解触媒装置を通過するオゾンガスに対しファンの回転数を上げて、風速・風量を大きくして、オゾンの分解量をより大きくして無害化された空気を室内へ供給することを特徴とする空気清浄装置
【請求項２】
前記殺菌・脱臭手段は、更に紫外線ランプ並びに光触媒励起用ランプ及び光触媒を設けてある請求項１記載の空気清浄装置
【請求項３】
前記オゾン分解触媒装置の流路を開閉する部材はリンク機構からなり、該リンク機構はアーム、該アームの回動により動くリンク、該リンクに繋がっている閉塞板からなり、アームを回動させると、リンクが動いて閉塞板がオゾン分解触媒装置を開閉することを特徴とする請求項１記載の空気清浄装置
【発明の詳細な説明】
【０００１】
【発明の属する技術分野】
本発明は、殺菌・脱臭手段を備えた空気清浄装置に関する。更に詳細には、病院等の医療施設や食品製造施設における殺菌・脱臭手段を備えた空気清浄装置に関する。
【０００２】
【従来の技術】
従来、空気清浄装置において、殺菌装置及び方法に関しては、次のような様々なものが提案されて来た。
【０００３】
（１）空気清浄装置の内部や、病院の病室に活性炭層、光触媒層、紫外線等の空気中の殺菌・脱臭手段を設けたものがある（例えば、特開昭６３−３１５１３８号公報参照）。
【０００４】
（２）空気清浄装置の内部に電気集塵機、オゾン発生器、オゾン分解触媒を設けたものがある（例えば、特開平２−４８０５０号公報参照）。
【０００５】
（３）空気清浄器の内部にオゾン発生器、陰イオン発生器を備え、殺菌・脱臭手段を設けたものがある（例えば、特開平４−２６０７３２号公報参照）。
【０００６】
（４）空気清浄装置の内部に、紫外線ランプを備え、殺菌・脱臭を設けたものがある（例えば、特開平７−２３９１４０号公報参照）。
【０００７】
（５）空気清浄装置の内部に、オゾン発生器、オゾン分解触媒の外に、銀ゼオライト等の抗菌剤入りのシートフイルタを備えるものがある（例えば、特開平６−３２３５７１号公報）
（６）空気清浄装置の内部又は内壁、フアン、フイルタ等の表面に、銀ゼオライト等の抗菌剤入りのシートフイルタを貼るか塗膜を形成したものがある（例えば、特開平７−５５１７６号公報）。
【０００８】
【発明が解決しようとする課題】
上記の従来の空気清浄装置で行う殺菌処理では、殺菌が充分でなかった。その為に細菌が繁殖してしまった空気が、例えば、病室内や食品製造室に送られる可能性があった。
【０００９】
前記従来技術では、単に空気清浄装置の内部や流路内に殺菌手段を設けたもので、室内などの空中浮遊菌を効果的に殺菌処理が充分に出来なかった。
【００１０】
特に、従来は、空調機の中に滅菌手段を設けた為に、室内を単独に集中的に殺菌したい場合には、それが出来なかった。
【００１１】
また、空気清浄機の内部でオゾンを発生させて殺菌処理をし、直ぐオゾン分解触媒でオゾンを分解してしまう構造の為に、空間的な殺菌能力の限度があって、空気清浄機の規模や能力が制限されていた。
【００１２】
また、従来使用されてきた紫外線ランプでは、照射部分しか、又は照射の到達範囲内でしか殺菌出来ないために、非照射部分での殺菌が不完全で有ったので、細菌の繁殖が避けられず、滅菌効果が滅殺された。
【００１３】
更に、抗菌剤シートでも、長期間使用すると、抗菌剤を含有した塗膜の表面近くでは、ほこり、油煙などが付着し、微生物との直接的接触、または直近の接近が阻止されると抗菌効果が大幅に低下する。その為に抗菌作用を著しく阻害して、上記の従来の空気清浄装置で行う殺菌処理では、殺菌が充分でなかった。その為に細菌が繁殖してしまった空気が、例えば、病室内や食品製造室に送られる可能性があった。
【００１４】
本発明は、上記の問題点を改善する室内などの殺菌と脱臭の処理を十分に行える装置を得る事を目的とする。更に詳しくは、有人や無人に応じて、殺菌・脱臭を必要且つ十分に行える装置及び方法を得る事を目的とする。
【００１５】
本発明は、上記課題を解決する為に、オゾン発生器、オゾン分解触媒装置である殺菌・脱臭手段、該オゾン分解触媒装置の後流側へファン装置を設け、該オゾン分解触媒装置には、該オゾン分解触媒装置への開閉を図る流路の切り換え部材を一方に設けると共に、且つオゾン分解触媒装置の後流側のファン装置へは該ファンの回転数の可変調整手段を設けて、無人時のオゾン殺菌（薫蒸）時と有人時行うオゾン脱臭時で、無人の殺菌時はオゾンの分解を防止するために、オゾン分解触媒装置への流路を閉鎖された状態で他方の開放された流路を通過するオゾンに対し、ファンの回転数を下げることで、風量・風速を下げて、オゾンの消耗を避け、且つ有人の脱臭時には、オゾン分解触媒装置を通過するオゾンガスに対しファンの回転数を上げて、風速・風量を大きくして、オゾンの分解量をより大きくして無害化された空気を室内へ供給する空気清浄装置を提供する。
【００１７】
前記殺菌・脱臭手段は、紫外線ランプ並びに光触媒励起用ランプ及び光触媒を備えている空気清浄装置を提供する。
【００２７】
【発明の実施の形態】
本発明の実施の形態を実施例に基づき、図面を参照して説明する。図１は、本発明の１実施例である。
【００２８】
図１は、本発明の１実施例を示す。空気清浄装置１は、無機系抗菌剤又は光触媒を塗料化したものを内外面に焼付塗装した抗菌鋼板をケーシングとして、ハウジングを構成しえる。図１の１は、その平面を図１の２は側面を示している。
【００２９】
これら空気清浄装置の内部側の表面には、抗菌剤を塗膜などに含有させて保持することもできる。この場合、抗菌剤を塗料などの中に含有させて、焼付塗装、ローラ塗り、吹き付けなどにより施行する。
【００３０】
抗菌剤として、銀、酸化亜鉛、銅などの無機質材を単独で、又は混合して用いる。抗菌剤の作用により、塗膜などの表面上または表面近くの細菌、カビなどの微生物の増殖は抑止され、減少して滅菌することができる。
【００３１】
空気清浄装置１の内部には、抗菌プレフィルタ２、紫外線ランプ３、光触媒励起用ランプ４、光触媒フイルター５、オゾン発生器６、殺菌用オゾン発生器６０、脱臭用オゾン発生器６１、ダンパ７、オゾン分解触媒装置８、電気集塵機９又は光触媒１０、ファン１１、１２、オゾン濃度センサー１３などが設けられる。
なお、紫外線ランプ３は、抗菌プレフィルタ２の前に設けることもできる。
【００３２】
オゾン発生器６は、殺菌用オゾン発生器６０と脱臭用オゾン発生器６１とに分ける事もできる。殺菌用は、特に殺菌を目的とする場合で、脱臭用は、オゾンの発生量を減じてその目的に使用する場合である。
【００３３】
またファン１１は、該空気清浄装置１の後流側に設ければ吸込式となり、オゾンガスが押し込め式の加圧型に比べて、外部に漏れる事がない。
吸込側にフアン１２を設ければ押し込み式になるが、この場合には、後段で説明するようにオゾンが破壊されないような、処理をする事が出来る。
【００３４】
ダンパ７は、図１に示されるように、点線の位置に移動できる。
ダンパ７の移動は、有人である室へ循環空気を送っているときに、流路を開放し、オゾン分解触媒装置８によって、オゾンを分解することが必要であるので、該オゾン分解触媒装置８を通して環流させる為に移動させるものである。
【００３５】
ダンパ７の移動装置としては、様々な構造が考えられ、図２には、リンク機構のものが示される。
モータ７０１が回動すると、アーム７０２が回動し、リンク７０３を図右方へ動かすと、閉塞板７０とリンク７０３は回動自在に繋がっているので、該閉塞板７０を図右方に動かして、流路をオゾン分解触媒装置８に対して開く。
【００３６】
この場合にシーリング装置を設けることもできる。図３には、その具体例が示されている。
リンク７０３を左方に動かすと、リンク７０３の先端が、スウィングバー７０４の回動根部７０５に衝合し、該スウィングバー７０４をバネ力に抗して閉塞板７０方向に対して回動させて、該閉塞板７０をシール部材７０９に押圧する。
と同時に、閉塞板７０は、ストッパー７０８に衝接してシーリングを完成する。
【００３７】
また、スウィングバー７０４は、ハウジング１５に支持されている支持具７０７にピンを介して設けるのが好ましく、図ではバー７０６で一体にジョイント結合されている。
【００３８】
送風手段であるフアン１１は、インバータ制御により回転数を任意に可変させることができ、オゾン薫蒸時には、フアン１１の回転数を下げ、風速・風量を小さくする。
ここで、オゾン薫蒸時とは、オゾン濃度が高いことの意味で、つまり殺菌を無人時に直接室内に行う場合である。
これは、フアン回転数が大きいと実験の結果、フアンでオゾンが分解されるので、オ回転数を下げて、その無駄となるオゾン消費量を小さくする為である。
【００３９】
また、オゾン脱臭時には、フアン１１の回転数を上げて、風速・風量を大きくし、オゾン分解量を大きくして無害化された空気を給気するものである。
ここで、オゾン脱臭時とは、空気清浄装置１では、殺菌は行うのであるが、該装置１でオゾンを分解して脱臭する意味で、室内に有人時行う場合である。
【００４０】
又は、フアン１１には、インバータ制御を有していない場合には、オゾン薫蒸時には、フアン１１を停止し、空気清浄装置１の下部にあるフアン１２により、少量の空気を吹き出して、オゾンが無駄に分解されてしまう量を最小限となし、高濃度のオゾン発生量生成するものである。
【００４１】
オゾンを殺菌・脱臭に利用するに際して、殺菌用にはオゾン発生量が数百〜数千ｍｇ／ｈのオゾン発生器を使い、脱臭時には、オゾン発生量が数十ｍｇ／ｈ程度のオゾン発生器を使うことにより、オゾンを有効的に利用することが可能であり、脱臭時の安全面を保証し、またオゾン分解触媒の寿命を長くできる。
又、一のオゾン発生器の出力調整により、オゾン発生量を調整することも可能である。
【００４２】
オゾン分解触媒８の後流には、電気集塵機９又は光触媒１０を設ける事もできる。電気集塵機９を使用した場合には、電気的に残存オゾン臭を物理的に分解してくれる。
また、この時にマイナスイオンが得られ、人体にとって好ましい環境の空気を給気出来る。
光触媒を使用した場合には、酸化還元作用で残存オゾン臭を分解する。
【００４３】
オゾンは、例えば、アンモニアに対する反応性が低いために、該オゾン分解触媒の後流側に活性炭フイルターを置くことも考えられるが、活性炭は分子量の小さい物質を吸着できず、また、脱臭機能は、主に吸着作用の為寿命の問題がある。
【００４４】
活性炭フィルターに代わって、例えば、光触媒を使用すれば、アンモニアのみならず、アセトアルデヒト、トリメチルアミン、酢酸、メチルメルカプタン、スチレン、硫化水素、窒素酸化物など広範囲にわたり、脱臭・殺菌が可能となる。脱臭機能が、主に、酸化還元作用の為に、寿命も長く、脱臭と同時に殺菌作用も備えている。
また、活性炭自身には、殺菌効果が有る為に、菌の温床となり易いが、光触媒では、そのような事がない。
【００４５】
病原菌の殺菌・脱臭システムの特徴を次に詳細に述べる。
空気清浄装置１においては、殺菌・脱臭システムの構成要素としては、非処理空気に対して、空気清浄装置１の内部には、抗菌プレフィルタ２、紫外線ランプ３、光触媒励起ポンプ４、光触媒フイルター５、オゾン発生器６、ダンパ７、オゾン分解触媒装置８、電気集塵機９又は光触媒１０、ファン１１、１２、オゾンセンサー１３などが設けられる。
【００４６】
又、プレフィルタ２の前に紫外線ランプ３を前段に設けてもよい。最初、波長を２５４ｎｍの紫外線ランプ３を設け、これにより照射すると、非処理空気に含有されている空中浮遊菌は、ここで紫外線ランプ３の熱エネルギーが細菌のＤＮＡを損傷させ、その結果、チミングダイマー形成により、自己増殖機能を低下させる。
【００４７】
処理後、非処理空気に含有されている空中浮遊菌については、或特定の波長の紫外線と光触媒との組合せが有効である。
つまり、酸化チタン光触媒系の特徴は、その表面が水と接触したときに、反応が起こることにある。吸着性が有るために、完全にドライでなければ、空気と接触しても反応が起こる。
【００４８】
酸化チタン光触媒に対しては、好ましくは、波長範囲３１５〜４００ｎｍの紫外線が、該光触媒の励起に好適である。波長４００ｎｍ程度の紫外線ランプ３が、酸化チタンの表面に当たると、３ｖの強い酸化電位が生じ、水が分解されて活性酸素が発生する。これは、塩素、過酸化水素、オゾン等よりも大きな酸化電位であり、殆ど全てのものを分解・酸化できる程のものである。
【００４９】
従って、紫外線ランプの一種である光触媒励起用ランプ４（ブラックライトランプとも言う）を設ければ、照射によって、その光により酸化還元電位３Ｖの酸化チタン光触媒（アナターゼ型）の光触媒フイルター５がより活性化され、活性酸素が生成し、細菌の芽胞やベロ毒素を破壊する。
【００５０】
これに対して、前段の、光触媒のない紫外線ランプ３は、波長が１００〜２８０ｎｍの、通常の殺菌ランプでよいことになる。光触媒に対して、その作用を生じさせる効果は有るが、低いからである。
このように前段で通常の紫外線照射をし、紫外線の波長を変えて光触媒を照射をすれば、滅菌効果を一層強力に上げることが出来る。
【００５１】
なお、２段の紫外線照射が逆の場合には、活性酸素によって芽胞の表層や内部の一部のＤＮＡが変化してしまい、紫外線照射時に芽胞のＴＤＨＴの生成が抑制されてしまい、完全に殺菌出来ない細菌もあるため滅菌効果が減じるからである。
【００５２】
その後、オゾン発生器６で生成した酸化還元電位２．８Ｖのオゾンガスで再びＤＮＡの変形した細菌の芽胞を損傷させ、溶菌現象を生じさせ、細菌の生育を停止させる。なお、光触媒の後に、オゾン処理を行うのは、酸化還元電位が、光触媒の方が高い為である。
【００５３】
このようにオゾンガスに加えて、紫外線ランプ３や光触媒を使用すれば、相互にその長所を持って殺菌作用を補完しあえる。即ち、オゾンガスは、紫外線の到達できない範囲外でも、充満して殺菌でき、また紫外線や光触媒などを使用するとオゾンガスは、細胞の芽胞を容易に損傷させ、更に一層の殺菌効果が得られる。
【００５４】
室内に給気を行う場合は、ダンパ７を図１の点線の下方へ移動させて、流路を開放して、オゾン分解触媒装置８でオゾン分解を行い０．１ｐｐｍ以下のオゾン化空気を給気する。オゾン分解触媒装置８は酸化マンガンで作られており、オゾン分解が低温域においても効率よく行え、また、オゾン分解の際に生ずる活性酸素でも殺菌・脱臭効果を期待させることができる。
【００５５】
オゾン分解触媒装置８の表面に生ずる水膜・汚れなどによる効果低下を回避するために、加熱ヒータ１４を設けてもよい。５０度前後に加熱されたヒータの温風により、脱着、再成機能を持たせている。
【００５６】
空気清浄装置１において、装置の構成機器又は装置のケーシング鋼板などに、常時効果が期待できる抗菌剤を使用することができる。抗菌剤には、安全であり耐熱性の高い無機系抗菌剤が使われている（図４）。
【００５７】
無機系抗菌剤は、幅広い抗菌スペクトルを持ち、また耐性菌を生じさせない効力がある。殺菌・脱臭効力を最大限にする方法として、抗菌剤を塗料に混ぜた時に、分散性をよくし、表面上に浮上させることによって抗菌効果を向上させることができる。
【００５８】
無機系抗菌剤を塗料に混入する際は、分散性をよくするために、溶剤などに充分混合・分散した後に塗料と混合するなどによって、抗菌剤の凝集をなくし分散化された塗料とする。
【００５９】
抗菌剤に接触した細菌は、金属イオン（例えば銀、亜鉛、銅イオンなど）によりタンパク質が破壊され溶菌現象を起こし死滅する。空気清浄装置１では主に落下付着菌を殺菌・脱臭する機能を備えてある。上記の構成により、システマティックに殺菌・脱臭することを可能にする。
【００６０】
空気清浄装置１の内部に抗菌剤入りの塗膜などを施せば、空気清浄装置１の内部では通常、細菌などの増殖が抑制され、オゾンガスの発生非発生時を問わず、常時滅菌作用を受ける。
【００６１】
このように抗菌剤は、オゾンガスのようにガス発生時だけでなく、常時殺菌作用が期待できて、オゾンガスと併用すれば、一層細菌を絶滅することが可能となり、オゾンガスのみの使用での殺菌時間を短縮出来ると共にコストも軽減できる。
【００６２】
殺菌・脱臭を行うに当たっては、有人又は無人時において、概要、室や空気清浄装置における次のような処理方法がなされる。
（１）無人時の室内の殺菌・脱臭
（２）有人時の室内への殺菌・脱臭
【００６３】
無人時の室内の殺菌・脱臭について説明する。
【００６４】
夜間など室内に人がいない、無人のとき、室内にオゾンを導き、室内をオゾンで薫蒸する。即ち、高いオゾン濃度で一定時間維持する。これにより、室内の内部の殺菌を強力に行うことができる。
【００６５】
夜間など、室の内部に人がいない、いわゆる無人のときには、ダンパー７を実線の方へ移動して、オゾン分解触媒装置８への流路を閉ざして、オゾン発生器６を作動させ、フアン１１または１２を静粛に運転させながら、オゾン含有空気だけを室の内部に導く。
【００６６】
この場合に前述したように、送風手段であるフアン１１は、インバータ制御により回転数を任意に可変させることができ、オゾン薫蒸時には、フアン１１の回転数を下げ、風速・風量を小さくする。
ここで、オゾン薫蒸時とは、オゾン濃度が高いことの意味で、つまり殺菌を無人時に直接室内に行う場合である。
これは、フアン回転数が大きいと実験の結果、フアンでオゾンが分解されるので、フアンの回転数を下げて、その無駄となるオゾン消費量を小さくすることが可能となる。
【００６７】
この状態を維持しながら、一定時間オゾン濃度を作用させて室内の殺菌をする。
【００６８】
この後に再び、空気清浄装置１のファン１１の運転を再開する。ただし、このときには切換ダンパ７は、図１の破線の位置に移動してオゾン分解触媒装置８への流路を開く。このようにして、室の内部の空気は循環し、オゾン分解触媒装置８の作用によりオゾンは分解される。
以下、各実施例で、殺菌・脱臭後のオゾン分解触媒装置の作動は、同様に行われる。
【００６９】
かくして、室の内部の零囲気中のオゾン濃度は減少し、人の安全許容限界以下に達する。その時点で、空気清浄装置１の運転は停止される。
【００７０】
有人時の室内への殺菌・脱臭済み循環空気の給気について説明する。
【００７１】
また、人が常時いる室にいる場合にも、その空気を空気清浄装置１に導き、前述の切換ダンパ７を点線の位置に移動し、オゾン発生器６で発生したオゾンを、オゾン分解触媒装置８での分解作用により、殺菌作用をし同時に脱臭作用を行うことができる。
【００７２】
空気清浄装置１からの殺菌・脱臭済みの空気は、フアン１１の回転数を最大限にし、風速・風量を増すことにより、フアン１１での強圧強風の流れによって、残オゾン空気を強制的に自然分解させることもでき、無害・無臭化してから室内へ給気する。
【００７３】
フアン１１の高速回転により、残存オゾンガスを自然分解させる外に、電気集塵機９または光触媒１０を併用すれば、その相乗効果により人体にとって、より安全な空気を給気できる。
【００７４】
空気清浄装置１の切換ダンパ７の位置を破線側に移動しておき、オゾン分解触媒装置８を作動させ、空気清浄装置１を運転すると、該装置１を通過する順次空気は殺菌作用を受ける。
【００７５】
この殺菌作用を受けた空気はダクトなどを通じて室に給気される。このような空気循環を行うことにより、室内の空気中の殺菌作用が継続して行われることになる。なお、オゾン発生器６からのオゾンは、オゾン分解触媒装置８の作用により当然分解・無害化されている。
【００７６】
又、抗菌手段として、抗菌シートや塗料を塗った部分へほこりや油煙が付着しているのを、オゾンガスを環流させたり、また単に循環空気を流すことにより取り除くこともできる。
【００７７】
又、空気清浄装置１には、フアン吹出口でオゾンセンサー１３により、常にオゾンの濃度管理を行っており、オゾンセンサー１３が許容値以上の値を検知した時には、直ちにオゾン発生器６を停止させて、許容値以下になるようにする。
【００７８】
このように本発明では、循環空気を必要に応じて、殺菌・脱臭のために、または有人の時には、殺菌・脱臭済みの空気を送ることができる。
【００７９】
以上の構成を設けることにより、同様の作用をなすことができる。
なお、本発明装置は、空気清浄装置としても使用出来る外、例えば空気調和機にも接続して使用できる。
【００８０】
【発明の効果】
有人又は無人時に応じて、空気清浄装置を、殺菌・脱臭用に切り換える為の切換制御手段と、紫外線ランプ等を初めオゾン発生器、オゾン分解触媒装置からなる殺菌・脱臭手段を備えたので、室内それに伴う流路等の空気の殺菌・脱臭の処理を必要に応じて十分に行えるものとなり、有人や無人に対応して、殺菌・脱臭を必要且つ十分に行えるものとなった。
【００８１】
殺菌・脱臭手段として、オゾン発生器、オゾン分解触媒装置を備えたものであるので、オゾンガスの強力な殺菌力だけでなく脱臭効果も十分に期待できる。
【００８２】
従来は、人がいる、即ち有人の場合には、殺菌・脱臭が不可能であったので、その作業時間等は,夜等に著しく制限されていたのが、有人時にも、即応して随時、各室内、空気清浄装置、それに伴う流路等の殺菌・脱臭作用を十分に行わせる事ができることとなった。
【００８３】
特に、オゾン分解触媒装置には、その流路に、該流路を開閉する部材を備えているので、その有人時にも殺菌・脱臭が可能となり、無人有人を問わず、殺菌・脱臭ができることとなった。
【００８４】
前記従来技術では、単に空気調和機の内部や流路内に付属的に殺菌手段を設けたもので、室内を一過性で通過する為に、なかなか完全な殺菌処理が出来なかったのが、本格的な殺菌手段を効果的に配置したので集中的に連続して出来ることとなった。特に、本発明では、確実に集中的に、特に室内を殺菌・脱臭が行えることとなった。
【００８５】
又、従来は、空調装置の中に滅菌装置を設けた為に、該滅菌装置を修理や交換するときは、空調装置をいちいち停止させねばならず、手間とコストを要しており、その空間的な限度の為に、空気清浄装置の規模や能力が制限されていたのが、空気調和機に並列に本発明の空気清浄装置を配置すれば、修理や交換は随時でき、また空気清浄装置の能力の向上等も必要に応じて行えるものとなった。
【００８６】
また、従来使用されてきた紫外線ランプでは、照射部分しか、又は照射の到達範囲内でしか殺菌出来ないために、非照射部分での殺菌が不完全で有ったので、細菌の繁殖が避けられず、滅菌効果が滅殺されたが、オゾンガスは、紫外線の到達できない範囲外でも、充満して殺菌でき、オゾンガスと併用すると一層の作用効果が得られた。
【００８７】
更に、空気清浄装置内に抗菌手段を設ければ、オゾンガスの強力な殺菌力に加えて、更に、オゾンガスの発生非発生時を問わず、常時、殺菌作用が期待できて、オゾンガスと併用すれば、一層強力に細菌を絶滅することが可能となり、オゾンガスのみの使用での殺菌時間を短縮出来ると共にコストも軽減できる。
【００８８】
オゾンガスに加えて、紫外線ランプ及び光触媒を使用し、前段で通常の紫外線照射をして、紫外線の波長を光触媒の活性酸素を生じさせるものを照射をすれば、次段のオゾンガスのも加えて、滅菌効果を更に一段と上げることが出来る。
【００８９】
更に、従来、抗菌剤シートでも、長期間使用すると、抗菌剤を含有した塗膜の表面近くでは、ほこり、油煙などが付着したが、オゾンガス又は循環空気を空気清浄装置内を環流させるので、ほこり、油煙などが付着することが阻止される。
【図面の簡単な説明】
【図１】本発明の空気清浄装置の実施例を示す。
【図２】本発明の空気清浄装置の切換制御手段の１実施例を示す。
【図３】本発明の空気清浄装置の切換制御手段の開閉機構の１実施例であるを示す。
【図４】本発明の空気清浄装置の他の実施例を示す。
【符号の説明】
１      空気清浄装置
２      抗菌プレフィルタ
３      紫外線ランプ
４      光触媒励起用ランプ
５      光触媒フイルター
６      オゾン発生器
６０    殺菌オゾン発生器
６１    脱臭オゾン発生器
７      ダンパ
７０    閉塞板
７０１  モータ
７０２  アーム
７０３  リンク
７０４  スウィングバー
７０５  回動根部
７０６  バー
７０７  支持具
７０８  ストッパー
７０９  シール部材
８      オゾン分解触媒装置
９      電気集塵機
１０    光触媒
１１    フアン
１２    フアン
１３    オゾンセンサー
１４    加熱ヒータ
１５    ハウジング
【図１】
0004448558.tif 000002
【図２】
0004448558.tif 000003
【図３】
0004448558.tif 000004
【図４】
0004448558.tif 000005